(57)【要約】【課題】１つのロール部材に２つのニップ領域を形成し、これらのニップ領域の一方ずつを経路中に含む２つの搬送経路に媒体を搬送させる場合に、双方の搬送経路による搬送を妨げないようにする。【解決手段】誘導部材１２０は、切替部１２２が反時計回りの回転を規制される位置にある状態において、屈曲部１２２ｃよりも第一の領域１１に近づくにつれて第一接線ＴＬ１に近づく部位を有する。また、誘導部材１２０は、第二の位置にある状態において、屈曲部１２２ｃよりも第二の領域１２に近づくにつれて第二接線ＴＬ２から遠ざかる部位を有する。また、支点１２３は、第一誘導面１２２ａよりも第一接線ＴＬ１寄りに設けられている。【選択図】図１０
2011057439.tif 000002
【特許請求の範囲】
【請求項１】
第一の回転軸を中心に回転する第一ロール部材と、
第二の回転軸を中心に回転する第二ロール部材と、
前記第一ロール部材および前記第二ロール部材と相異なる位置で接触し、第三の回転軸を中心に順方向および逆方向に回転する第三ロール部材であって、前記順方向に回転するときに、第一の搬送経路を搬送された媒体を前記第一ロール部材と接触する第一の領域で挟み込み、前記逆方向に回転するときに、前記第一の搬送経路を搬送された媒体を前記第二ロール部材と接触する第二の領域で挟み込む前記第三ロール部材と、
支点と、第一誘導面と、屈曲部を有する第二誘導面とを有し、前記支点を軸に第一の位置から第二の位置に回転する誘導部材であって、前記第一の位置にあるときに、前記第一の搬送経路を搬送された媒体を前記第一誘導面により前記第一の領域に誘導し、前記第二の位置にあるときに、前記第一の搬送経路を搬送された媒体を前記第二の領域に誘導する前記誘導部材と、
前記第三ロール部材が前記媒体を前記第二の領域で挟み込んだ状態において前記順方向に回転するときに、当該回転により搬送される当該媒体を前記第一の搬送経路と異なる第二の搬送経路に案内する案内部と、
前記誘導部材の位置を前記第一の位置または前記第二の位置に移動させる移動手段とを備え、
前記移動手段は、
前記第三ロール部材が前記媒体を前記第二の領域で挟み込んだ状態において前記順方向に回転するときに、前記誘導部材の位置を前記第一の位置にさせ、
前記誘導部材は、
前記第一の位置にあるときに、
前記支点が、前記第一誘導面よりも、前記第一の領域を通り前記第一ロール部材と前記第三ロール部材とに共通する接線である第一接線寄りにあり、
前記第一誘導面が、前記第一の領域に近づくにつれて前記第一接線に近づく部位を有し、
前記第二誘導面が、前記第二の領域に近づくにつれて、前記第二の領域を通り、前記第二ロール部材と前記第三ロール部材とに共通する接線である第二接線から遠ざかる部位を前記屈曲部よりも前記第二の領域寄りに有する
ことを特徴とする誘導装置。
【請求項２】
前記誘導部材は、前記媒体の前記軸方向の端部が接触する領域に、前記軸方向に対して前記媒体の内側から外側に向かう方向に傾斜した傾斜部を有する
ことを特徴とする請求項１に記載の誘導装置。
【請求項３】
前記誘導部材が前記第二の位置にあるときに当該誘導部材と接触し、前記媒体の前記第一の搬送経路から前記第一の領域への搬送を案内する案内部材を備え、
前記誘導部材は、前記案内部材寄りの端部に複数の凸部を有し、
前記案内部材は、前記誘導部材が前記第二の位置にあるときに前記複数の凸部と噛み合うように設けられた複数の凹部を有する
ことを特徴とする請求項１または２に記載の誘導装置。
【請求項４】
前記複数の凸部は、前記案内部材と接触しない第一の凸部と、前記案内部材と接触する第二の凸部とを有する
ことを特徴とする請求項３に記載の誘導装置。
【請求項５】
請求項１ないし４のいずれかに記載された誘導装置と、
前記搬送部により前記第一の搬送経路に沿って搬送される媒体の一方の面に第一の画像を形成し、前記第一の画像が形成され、前記案内部により案内された当該媒体の他方の面に第二の画像を形成する画像形成手段と
を備えることを特徴とする画像形成装置。
【発明の詳細な説明】
【技術分野】
【０００１】
本発明は、誘導装置および画像形成装置に関する。
【背景技術】
【０００２】
画像形成装置には、記録媒体の両面に画像を形成することなどを目的に、画像が形成された記録媒体の搬送経路を切り替えるものがある。特許文献１には、経路切り替えガイドおよび共通の駆動手段であるローラセットを用いて、用紙の搬送経路を排出路とスイッチバック搬送路とに切り替える技術が開示されている。
【先行技術文献】
【特許文献】
【０００３】
【特許文献１】特開２００１−６３８９２号公報
【発明の概要】
【発明が解決しようとする課題】
【０００４】
本発明の目的は、１つのロール部材に２つのニップ領域を形成し、これらのニップ領域の一方ずつを経路中に含む２つの搬送経路に媒体を搬送させる場合に、双方の搬送経路による搬送を妨げないようにすることにある。
【課題を解決するための手段】
【０００５】
本発明の請求項１に係る誘導装置は、第一の回転軸を中心に回転する第一ロール部材と、第二の回転軸を中心に回転する第二ロール部材と、前記第一ロール部材および前記第二ロール部材と相異なる位置で接触し、第三の回転軸を中心に順方向および逆方向に回転する第三ロール部材であって、前記順方向に回転するときに、第一の搬送経路を搬送された媒体を前記第一ロール部材と接触する第一の領域で挟み込み、前記逆方向に回転するときに、前記第一の搬送経路を搬送された媒体を前記第二ロール部材と接触する第二の領域で挟み込む前記第三ロール部材と、支点と、第一誘導面と、屈曲部を有する第二誘導面とを有し、前記支点を軸に第一の位置から第二の位置に回転する誘導部材であって、前記第一の位置にあるときに、前記第一の搬送経路を搬送された媒体を前記第一誘導面により前記第一の領域に誘導し、前記第二の位置にあるときに、前記第一の搬送経路を搬送された媒体を前記第二の領域に誘導する誘導部材と、前記第三ロール部材が前記媒体を前記第二の領域で挟み込んだ状態において前記順方向に回転するときに、当該回転により搬送される当該媒体を前記第一の搬送経路と異なる第二の搬送経路に案内する案内部と、前記誘導部材の位置を前記第一の位置または前記第二の位置に移動させる移動手段とを備え、前記移動手段は、前記第三ロール部材が前記媒体を前記第二の領域で挟み込んだ状態において前記順方向に回転するときに、前記誘導部材の位置を前記第一の位置にさせ、前記誘導部材は、前記第一の位置にあるときに、前記支点が、前記第一誘導面よりも、前記第一の領域を通り前記第一ロール部材と前記第三ロール部材とに共通する接線である第一接線寄りにあり、前記第一誘導面が、前記第一の領域に近づくにつれて前記第一接線に近づく部位を有し、前記第二誘導面が、前記第二の領域に近づくにつれて、前記第二の領域を通り、前記第二ロール部材と前記第三ロール部材とに共通する接線である第二接線から遠ざかる部位を前記屈曲部よりも前記第二の領域寄りに有することを特徴とする。
【０００６】
本発明の請求項２に係る誘導装置は、請求項１に係る構成において、前記誘導部材は、前記媒体の前記軸方向の端部が接触する領域に、前記軸方向に対して前記媒体の内側から外側に向かう方向に傾斜した傾斜部を有することを特徴とする。
【０００７】
本発明の請求項３に係る誘導装置は、請求項１または２のいずれかに係る構成において、前記誘導部材が前記第二の位置にあるときに当該誘導部材と接触し、前記媒体の前記第一の搬送経路から前記第一の領域への搬送を案内する案内部材を備え、前記誘導部材は、前記案内部材寄りの端部に複数の凸部を有し、前記案内部材は、前記誘導部材が前記第二の位置にあるときに前記複数の凸部と噛み合うように設けられた複数の凹部を有することを特徴とする。
【０００８】
本発明の請求項４に係る誘導装置は、請求項３に係る構成において、前記複数の凸部は、前記案内部材と接触しない第一の凸部と、前記案内部材と接触する第二の凸部とを有することを特徴とする。
【０００９】
本発明の請求項５に係る画像形成装置は、請求項１ないし４のいずれかに記載された誘導装置と、前記搬送部により前記第一の搬送経路に沿って搬送される媒体の一方の面に第一の画像を形成し、前記第一の画像が形成され、前記案内部により案内された当該媒体の他方の面に第二の画像を形成する画像形成手段とを備えることを特徴とする。
【発明の効果】
【００１０】
請求項１または５に係る発明によれば、１つのロール部材に２つのニップ領域を形成し、これらのニップ領域の一方ずつを経路中に含む２つの搬送経路に媒体を搬送させる場合に、双方の搬送経路による搬送を妨げないようにすることができる。
請求項２に係る発明によれば、端部が傾斜していない場合または逆方向に傾斜している場合に比べ、媒体を搬送方向と直交する方向にたわみにくくすることができる。
請求項３に係る発明によれば、媒体の第一の領域への侵入を阻害することと、媒体の進入の際に誘導部材に引っかからないようにすることとを両立することができる。
請求項４に係る発明によれば、第一凸部が案内部材と接触する場合に比べて、接触に起因する音を少なくすることができる。
【図面の簡単な説明】
【００１１】
【図１】本発明の実施形態に係る画像形成装置のブロック図である。
【図２】画像形成装置の概略図である。
【図３】誘導部が記録媒体を排出する動作を説明する図である。
【図４】誘導部が記録媒体を収容する動作を説明する図である。
【図５】誘導部が収容とともに排出を行う動作を説明する図である。
【図６】誘導部材を説明する図である。
【図７】第二の位置における部材の状態を説明する図である。
【図８】誘導部材が不具合を起こす現象を説明する図である。
【図９】誘導部材を対比して示す図である。
【図１０】誘導面と支点を説明する図である。
【発明を実施するための形態】
【００１２】
＜実施形態＞
図１は、本発明の一実施形態に係る画像形成装置１のブロック図である。画像形成装置１は、誘導部１０と、第一搬送部２０と、第二搬送部３０と、供給部４０と、現像部５０と、転写部６０と、定着部７０とを備える。供給部４０は、記録媒体を格納し、第一搬送部２０へ供給する。第一搬送部２０は、記録媒体を転写部６０へ搬送する。転写部６０は、現像部５０によって形成された画像を記録媒体に転写する。現像部５０は、光で露光される感光体を有し、この感光体に画像を現像したトナー像を形成する。感光体に形成されたトナー像は、転写部６０によって転写される。転写部６０は、現像部５０から転写された画像を記録媒体に転写する。第一搬送部２０は、画像が転写された記録媒体を、定着部７０へ搬送する。定着部７０は、熱を発生する部材を有し、画像が転写された記録媒体を加熱および加圧して画像を定着させる。本実施形態において、現像部５０、転写部６０および定着部７０は、これらが協働して本発明に係る画像形成手段として機能する。
【００１３】
第一搬送部２０は、画像が定着した記録媒体を、誘導部１０へ搬送する。誘導部１０は、後述する反転部１１０と誘導部材１２０とをさらに備える。制御部８０は、ＣＰＵ（Central Processing Unit）等の演算装置やＲＡＭ（Random Access Memory）等の記憶手段を備え、画像の形成に関する演算処理を行うとともに、上述した各部の動作を制御する。操作部９０は、利用者が画像形成装置１に対して選択、確認、取り消しなどの指示を行うための操作を行うタッチパネル、キーボードなどの操作手段であって、操作内容を示す情報を制御部８０に出力する。続いて、画像形成装置１を構成する各部の配置などを説明する。
【００１４】
図２は、画像形成装置１の概略図である。供給部４０は、格納部４１および回転部４２を有する。格納部４１は、プラスチック等の部材で形成される箱状の筐体で、各種寸法の記録媒体２を格納する。回転部４２は、回転する部材であり、格納されている記録媒体２を第一搬送部２０へ搬送して供給する。記録媒体２は、紙またはプラスチック等で形成されるシート状の媒体で、どちらか一方の面もしくは両方の面に画像が形成される。記録媒体２の寸法は、あらかじめ決められた複数の種類の寸法のいずれかである。第一搬送部２０は、複数の回転する部材である搬送ロール２１，２２，２３を有し、記録媒体２を搬送する。搬送される記録媒体２には、現像部５０によって画像が形成された転写部６０によって、トナー像が転写される。
【００１５】
現像部５０は、光走査部５１および現像ユニット５２を有する。光走査部５１は、光を照射および反射する部材を有し、画像情報に応じた光を現像ユニット５２に向けて出射する。光走査部５１は、この光により、現像ユニット５２が有する感光体を走査する。現像ユニット５２は、光走査部５１による走査に応じたトナー像を形成し、トナー像を中間転写ベルト６１に転写する。本実施形態の現像ユニット５２は、４色のトナーによりトナー像を形成する。中間転写ベルト６１は、無端のベルト状の部材であり、複数のロール部材によって支持されて回転する。中間転写ベルト６１は、二次転写部６２と接触する位置で記録媒体２と接触する。二次転写部６２は、回転する部材であり、記録媒体２を中間転写ベルト６１へ押し付けてトナー像を転写させる。定着部７０は、ハロゲンランプ等の熱源を有し、記録媒体２に転写されたトナー像を加熱および加圧して定着させる。画像が定着した記録媒体２は、第一搬送部２０のロール２３により誘導部１０へ搬送される。本実施形態においては、第一搬送部２０によって記録媒体が供給部４０から誘導部１０へ搬送される経路が、本発明に係る「第一の搬送経路」に相当し、本発明に係る第一の搬送経路の一例である。
【００１６】
上述の通り、誘導部１０は、反転部１１０と誘導部材１２０とを備える。誘導部材１２０は、移動する部材を有し、記録媒体２が搬送される経路を切り替える。誘導部材１２０は、経路を切り替えた記録媒体２を反転部１１０へ導く。反転部１１０は、３つの回転する部材を有し、記録媒体２を搬送する。誘導部１０は、記録媒体２の画像形成が終わっている場合、記録媒体２を画像形成装置１の外部へ排出するように誘導する。誘導部１０は、記録媒体２の両面に画像を形成する場合、一方の面に画像が形成された記録媒体２を、画像形成装置１の内部に再び案内するように誘導する。
【００１７】
誘導された記録媒体２は、第二搬送部３０よって画像形成装置１の内部に案内される。第二搬送部３０は、第一搬送部２０とは異なる経路で記録媒体２を搬送する。第二搬送部３０は、記録媒体２を、トナー像が再び転写されるように送り出す。このとき、記録媒体２は、画像を形成されていない側が中間転写ベルト６１と接触するように、その表裏が反転された状態で送り出される。搬送された記録媒体２は、転写部６０および定着部７０によって画像が再び転写および定着される。第一搬送部２０のロール２３は、両面に画像が定着された記録媒体２を誘導部１０へ搬送する。誘導部１０は、搬送された記録媒体２を、第二搬送部３０に搬送されるときと異なる経路で排出する。このようにして、画像形成装置１は、一方の面に画像が形成された記録媒体２の他方の面に対して画像を形成する。本実施形態においては、第二搬送部が本発明に係る「案内部」に相当し、本発明に係る案内部の一例である。また、第二搬送部によって記録媒体２が誘導部１０から第一搬送部２０へ搬送される経路が、本発明に係る「第二の搬送経路」に相当し、本発明に係る第二の搬送経路の一例である。
【００１８】
図３は、誘導部１０が記録媒体２を排出する動作を説明する図である。誘導部１０は、上述のとおり反転部１１０および誘導部材１２０を有する。反転部１１０は、回転軸を中心に回転する部材である第一ロール部材１１１、第二ロール部材１１２および第三ロール部材１１３を備える。第三ロール部材１１３は、第一ロール部材１１１および第二ロール部材１１２と相異なる位置で接触する。第一ロール部材１１１は第三ロール部材１１３と第一の領域１１で接触する。第二ロール部材１１２は、第三ロール部材１１３と第二の領域１２で接触する。第三ロール部材１１３は、制御部８０によって回転を制御される。第一ロール部材１１１および第二ロール部材１１２は、第三ロール部材１１３が回転すると、第一の領域１１および第二の領域１２において第三ロール部材１１３から回転する方向に力を加えられ、それぞれ回転する。第一ロール部材１１１および第二ロール部材１１２が回転する方向は、第三ロール部材１１３と反対の方向となる。
【００１９】
誘導部材１２０は、回転の軸となる支点１２３と、回転する切替部１２２とを有する。切替部１２２は、屈曲する屈曲部１２２ｃを有している。支点１２３は、切替部１２２の回転を規制する図示せぬ規制部材によって、あらかじめ決められた範囲を回転する。切替部１２２は、図示せぬバネ等の付勢部材によって、図３に示した方向から見た場合に反時計回りの方向に付勢されている。なお、付勢とは、ある方向に力を作用させることである。以下においては、切替部１２２が反時計回りの回転を規制される位置のことを、「第一の位置」という。図３は、切替部１２２が第一の位置にある状態を示している。切替部１２２は、第一の領域１１側に第一誘導面１２２ａを有する。第一誘導面１２２ａは、切替部１２２が第一の位置にある状態において、第三ロール部材１１３に近づくにつれて第一の領域１１における接線ＴＬ１との距離が短くなるように形成されている。
【００２０】
第一搬送部２０のロール２３は、記録媒体２を切替部１２２に向けて搬送する。搬送された記録媒体２が第一誘導面１２２ａに衝突すると、第一誘導面１２２ａは、衝突した記録媒体２を、第一の領域１１に向けて誘導する。誘導された記録媒体２は、第一の領域１１へ到達する。第三ロール部材１１３および第一ロール部材１１１は、第一の領域１１に到達した記録媒体２を、第一の領域１１で挟み込む。このとき、制御部８０は、第三ロール部材１１３を図３に示した方向から見た場合に時計回りに回転するように制御している。すると、第三ロール部材１１３が時計回りに回転し、第一ロール部材１１１が反時計回りに回転することで、挟み込んだ記録媒体２が排出される。本実施形態においては、図３に示した方向から見た場合の時計回りの方向が、本発明に係る「順方向」に相当し、本発明に係る順方向の一例である。このようにして、誘導部１０は、記録媒体２を画像形成装置１の外部に排出する。
【００２１】
図４は、誘導部１０が記録媒体を収容する動作を説明する図である。制御部８０は、図示せぬモータ等の駆動装置を動作させて、支点１２３を時計回りに回転させるよう制御する。誘導部材１２０は、付勢部材による時計回りに回転する力よりも大きな力を駆動装置により加えられて、時計回りに回転する。このとき、切替部１２２は、時計回りの回転を規制される位置まで回転する。以下においては、切替部１２２が時計回りに回転を規制される位置のことを、「第二の位置」という。本実施形態においては、切替部１２２の位置を第一の位置に移動させる付勢部材と第二の位置に移動させる駆動装置とが、本発明に係る「移動手段」に相当し、本発明に係る移動手段の一例である。この図４（ａ）は、切替部１２２が第二の位置にある状態を示している。切替部１２２は、第二の領域１２側に第二誘導面１２２ｂを有する。
【００２２】
第一搬送部２０のロール２３は、図４（ａ）に示す状態において、記録媒体２を切替部１２２に向けて搬送する。搬送された記録媒体２が第二誘導面１２２ｂに衝突すると、第二誘導面１２２ｂは、衝突した記録媒体２を、第二の領域１２に向けて誘導する。誘導された記録媒体２は、第二の領域１２へ到達する。第三ロール部材１１３および第二ロール部材１１２は、第二の領域１２に到達した記録媒体２を、第二の領域１２で挟み込む。このとき、制御部８０は、図３に示す状態のときとは反対に、第三ロール部材１１３を反時計回りに回転するように制御している。すると、第三ロール部材１１３が反時計回りに回転し、第二ロール部材１１２が時計回りに回転することで、挟み込んだ記録媒体２を搬送する。本実施形態においては、図３に示した方向から見た場合の反時計回りの方向が、本発明に係る「逆方向」に相当し、本発明に係る逆方向の一例である。このとき、制御部８０は、記録媒体２の搬送方向に対して後側の端部が第二の領域１２に到達すると、第三ロール部材１１３の回転を止めるように制御する。そして、制御部８０は、駆動装置の動作を停止するように制御する。すると、切替部１２２は、付勢される力によって第一の位置に戻る。なお、搬送された記録媒体２は、第二誘導面１２２ｂに衝突しない場合がある。この場合は、記録媒体２は、第二誘導面１２２ｂに対向する位置にある第二案内部材２５に衝突する。第二案内部材２５は、記録媒体２の第一搬送部２０から第二の領域への搬送を案内する。
【００２３】
図４（ｂ）は、図４（ａ）に示す状態の後に、切替部１２２が第一の位置に戻った状態を示している。切替部１２２が第一の位置に戻ると、制御部８０は、第三ロール部材１１３を時計回りに回転するように制御する。第三ロール部材１１３は、第二ロール部材１１２とともに、第二の領域１２で挟み込んだ記録媒体２を画像形成装置１の内部へ搬送する。このとき、搬送される記録媒体２が第二誘導面１２２ｂと衝突すると、第二誘導面１２２ｂは、衝突した記録媒体２を第二搬送部３０へ誘導する。記録媒体２は、第二誘導面１２２ｂに沿って搬送され、第二搬送部３０へ到達する。このようにして、誘導部１０は、記録媒体２を画像形成装置１の内部に収容する。
【００２４】
図５は、切替部１２２が収容とともに排出を行う動作を説明する図である。図５は、図４（ｂ）で説明した状態の後に、第一搬送部２０が記録媒体３を切替部１２２に向けて搬送している状態を示す。記録媒体３は、第一誘導面１２２ａによって誘導されて、第一の領域１１に到達する。このとき、第三ロール部材１１３は、時計回りに回転して、記録媒体２を画像形成装置１の内部へ向けて搬送している。このため、第三ロール部材１１３は、第一の領域１１においては、挟み込んだ記録媒体３を、画像形成装置１の外部へ向けて搬送する。このようにして、誘導部１０は、記録媒体２を収容しながら、記録媒体３を排出する。このように、誘導部材１２０は、第一の位置または第二の位置となるように制御されて、記録媒体の搬送先を切り替える。また、反転部１１０は、記録媒体の搬送方向を反転させる。これら誘導部材１２０および反転部１１０の動作によって、誘導部１０は、記録媒体２の排出および収容の動作を行う。
【００２５】
図６は、誘導部材１２０を第二誘導面１２２ｂ側から示す図である。切替部１２２は、支点１２３が回転する軸に沿った方向（以下、「軸方向」という。）を長手方向とする支持部１２４０を有する。支持部１２４０には、衝突部１２４１および補強部１２４２が設けられている。支持部１２４０は、衝突部１２４１および補強部１２４２を支持する。衝突部１２４１は、軸方向において記録媒体の種類に応じた位置ごとに、２つの衝突部１２４１が対となって複数形成されている。衝突部１２４１は、誘導部材１２０が画像形成装置１に設置されたときに、搬送される記録媒体によって衝突される部分である。補強部１２４２は、衝突部１２４１を補強するために設けられたリブである。
【００２６】
第一凸部１２４３は、切替部１２２の搬送部寄りの端部に複数形成される凸状の部分である。第一凸部１２４３は、誘導部材１２０が画像形成装置１に設置されて上述した第二の位置にあるときに、切替部１２２と接触する第一案内部材２４（図７参照。）が有する複数の凹部に入り込む。軸方向の端にある第一凸部１２４３の外側には、第二凸部１２４６が形成されている。第二凸部１２４６は、第一凸部１２４３よりも支持部１２４０から距離が長く形成されている。第一凸部１２４３および第二凸部１２４６は、第二凸部１２４６が第一案内部材２４と接触する一方、第一凸部１２４３は第一案内部材２４と接触しないように構成されている。なお、第一凸部１２４３および第二凸部１２４６が設けられる位置やその数は、図６に示したものに限定されない。第一凸部１２４３の位置や数は、画像形成装置１で用いられる記録媒体の寸法などに応じて決められる。
【００２７】
衝突部１２４１の端部１２４４は、搬送される記録媒体の軸方向の端部が接触する領域に設けられた部分である。端部１２４４は、軸方向に対して記録媒体の内側から外側に向かう方向に傾斜した傾斜部を有する。端部１２４４は、誘導部材１２０が画像形成装置１に設置されたときに、支持部１２４０の方向に搬送される記録媒体の搬送方向側にある端部と衝突すると、この端部から角部までの記録媒体を第二誘導面１２２ｂ側に誘導する。
【００２８】
切抜部１２４５は、衝突部１２４１の一部を切り抜いた空間である。衝突部１２４１は、切抜部１２４５を設けることで、これを設けない場合よりも重量が減少する。しかし、衝突部１２４１は、切抜部１２４５を設けることで、これを設けない場合よりも強度が減少する。そのため、衝突部１２４１は、補強部１２４２と端部１２４４の間で第二誘導面１２２ｂ側に屈曲して形成されることで、切抜部１２４５による強度の減少を補っている。すなわち、屈曲部１２２ｃは、衝突部１２４１の強度を補強する機能を有している。なお、本実施形態の誘導部材１２０は、第一誘導面１２２ａ側にも屈曲部１２２ｃを有しているが、第二誘導面１２２ｂ側にあれば十分であり、第一誘導面１２２ａ側には設けられていなくてもよい。
【００２９】
第一誘導面１２２ａおよび第二誘導面１２２ｂは、屈曲部１２２ｃよりも第一凸部１２４３側では、衝突部１２４１の表面によって形成されている。一方、屈曲部１２２ｃよりも支持部１２４０側では、補強部１２４２の第一誘導面１２２ａ側および第二誘導面１２２ｂ側の端部によって形成されている。
【００３０】
図７は、第二の位置における切替部１２２の状態を説明する図である。第一凸部１２４３および第二凸部１２４６は、第一案内部材２４に入り込んでいる。第一案内部材２４は、切替部１２２が第二の位置にあるときに、第一凸部１２４３および第二凸部１２４６と噛み合うように設けられた複数の凹部を有する。第一案内部材２４は、記録媒体の第一搬送部２０から第一の領域への搬送を案内する。本実施形態においては、第一案内部材２４が、本発明に係る「案内部材」に相当し、本発明に係る案内部材の一例である。支持部１２４０側の第一誘導面１２２ａおよび第二誘導面１２２ｂは、補強部１２４２が形成している。
【００３１】
誘導部材１２０は、第二の領域１２に近接する部分の形状によって、不具合を起こす場合がある。この不具合の例を、誘導部材１２０とは第二誘導面１２２ｂの形状が異なる誘導部材１２０ｐを用いて説明する。誘導部材１２０ｐは、第二誘導面１２２ｂの形状を除き、誘導部材１２０と共通する構成である。
図８は、誘導部材１２０ｐが不具合を起こす現象を説明する図である。図８（ａ）は、誘導部材１２０ｐが第一の位置にある状態の図である。誘導部材１２０ｐは、屈曲部１２２ｃｐから支持部１２４０にかけての第二誘導面１２２ｂｐの形状が、誘導部材１２０と異なっている。誘導部材１２０ｐは、第一の位置にある状態において、第二の領域１２を通り、第二ロール部材１１２および第三ロール部材１１３とに共通する接線である第二接線ＴＬ２と第二誘導面１２２ｂｐとの距離が、第二の領域１２に近づくにつれて近づいている。
【００３２】
図８（ｂ）は、記録媒体との衝突によって誘導部材１２０ｐの位置がずれた状態を示す図である。まず、記録媒体２は、第二の領域１２から第二搬送部に向けて搬送されて、第二誘導面１２２ｂｐに衝突する。衝突した記録媒体２の端部は、誘導部材１２０ｐに対して、時計回りに回転する方向に力を加える。衝突する入射角が小さいと、この力によって切替部１２２ｐがたわむ。このとき、第一搬送部２０が記録媒体３を搬送すると、記録媒体３が、たわんだ切替部１２２ｐの第一凸部１２４３ｐまたは第二凸部１２４６ｐよりも第二誘導面１２２ｂｐ側に入り込む。
【００３３】
図９は、誘導部材１２０と誘導部材１２０ｐを比較する図である。図９（ａ）は、誘導部材１２０を説明する図である。一例として、屈曲部１２２ｃよりも第二の領域１２に近い領域において、第二誘導面１２２ｂと第二接線ＴＬ２との距離を２つ比較する。距離Ｌ１と距離Ｌ１よりも屈曲部１２２ｃ側の距離Ｌ２とを比較すると、切替部１２２は、距離Ｌ１が距離Ｌ２以上となる部位を有している。図９（ｂ）は、誘導部材１２０ｐを説明する図である。一例として、屈曲部１２２ｃｐよりも第二の領域１２に近い領域において、第二誘導面１２２ｂｐと第二接線ＴＬ２との距離を２つ比較する。距離Ｌ３と距離Ｌ３よりも屈曲部１２２ｃ側の距離Ｌ４とを比較すると、切替部１２２ｐは、距離Ｌ３が距離Ｌ４よりも小さくなる部位を有している。このため、誘導部材１２０は、屈曲部１２２ｃｐよりも第二の領域１２に近い領域において、第二接線ＴＬ２との間の空間が、誘導部材１２０ｐに比べて広くなっている。
【００３４】
図１０は、誘導部材１２０の形状を説明する図である。図１０は、第一の位置にある状態の誘導部材１２０を示している。図１０は、上述した第二接線ＴＬ２と、第一の領域１１を通り、第一ロール部材１１１と第三ロール部材１１３とに共通する接線である第一接線ＴＬ１とを示している。誘導部材１２０は、第一の位置にある状態において、第一の領域１１に近づくにつれて第一接線ＴＬ１に近づく領域を、第一誘導面１２２ａの屈曲部１２２ｃよりも第三ロール部材１１３寄りに有する。また、誘導部材１２０は、第二の位置にある状態において、屈曲部１２２ｃよりも第二の領域１２に近づくにつれて第二接線ＴＬ２から遠ざかる領域を、第二誘導面１２２ｂの屈曲部１２２ｃよりも第三ロール部材１１３寄りに有する。また、支点１２３は、第一誘導面１２２ａよりも第一接線ＴＬ１寄りに設けられている。
【００３５】
ここで、一例として、屈曲部１２２ｃよりも第一の領域１１に近い領域において、第一誘導面１２２ａと第一接線ＴＬ１との距離を２つ比較する。距離Ｌ５と距離Ｌ５よりも屈曲部１２２ｃ側の距離Ｌ６とを比較すると、切替部１２２は、距離Ｌ５が距離Ｌ６以下となる部位を有している。また、切替部１２２は、この領域において、第二誘導面１２２ｂと第二接線ＴＬ２との距離Ｌ７が第一誘導面１２２ａと第一接線ＴＬ１との距離Ｌ５よりも大きくなる部位を有している。
【００３６】
＜変形例＞
以上、本発明の実施形態について説明したが、本発明は他の形態でも実施可能である。例えば、上述した実施形態においては、収容される記録媒体が第二搬送部３０によって第一の搬送経路まで案内されたが、単に収容するだけでもよい。この場合、第二搬送部３０は、記録媒体を収容する図示せぬ収容部まで搬送する。
【符号の説明】
【００３７】
１…画像形成装置、２，３…記録媒体、１０…誘導部、１１…第一接触部、ＴＬ１…第一接線、１２…第二接触部、ＴＬ２…第二接線、２０…搬送部、２１，２２，２３…搬送ロール、２４…第一案内部材、２５…第二案内部材、３０…第二搬送部、４０…供給部、４１…筐体、４２…回転部、５０…現像部、５１…光走査部、５２…現像ユニット、６０…転写部、６１…中間転写ベルト、６２…二次転写部、７０…定着部、８０…制御部、９０…操作部、１１０…反転部、１１１…第一ローラ部材、１１２…第二ローラ部材、１１３…第三ローラ部材、１２０…誘導部材、１２２…切替部、１２２ａ…第一誘導面、１２２ｂ…第二誘導面、１２２ｃ…屈曲部、１２３…支点、１２４０…支持部、１２４１…衝突部、１２４２…補強部、１２４３…第一凸部、１２４４…端部、１２４５…切抜部、１２４６…第二凸部
【図１】
2011057439.tif 000003
【図２】
2011057439.tif 000004
【図３】
2011057439.tif 000005
【図４】
2011057439.tif 000006
【図５】
2011057439.tif 000007
【図６】
2011057439.tif 000008
【図７】
2011057439.tif 000009
【図８】
2011057439.tif 000010
【図９】
2011057439.tif 000011
【図１０】
2011057439.tif 000012